(57)【要約】【課題】構成部材の数が少なく且つ何れも簡素な構造であり、取り扱いも簡単であると共に、安価に製造できる吊り下げ商品前押し具を提供する。【解決手段】水平な陳列アーム２に吊り下げて陳列された商品２０ａ〜２０ｄを、該陳列アーム２の先端側へ押し出す吊り下げ商品前押し具１０であって、陳列アーム２の上方に平行状に配置され、且つ先端部３ａで商品カード７を保持する商品カード保持用アーム３に巻き付けられたコイルバネ８と、該コイルバネ８の後端部８ｃに当接または結合され、且つ上記保持用アーム３に止着されたホルダー９と、コイルバネ８の先端側に配置され、且つ上記保持用アーム３の軸方向に沿ってスライド可能に支持されていると共に、陳列アーム２が貫通可能となるガイド溝１６を有する商品前押し片１１と、を備えている、吊り下げ商品前押し具１０。【選択図】  図１
0003214233.tif 000002
【実用新案登録請求の範囲】
【請求項１】
水平な陳列アーム(２)に吊り下げて陳列された商品(２０ａ〜２０ｎ)を、該陳列アーム(２)の前方側へ押し出す吊り下げ商品前押し治具(１０)であって、
上記陳列アーム(２)の上方に平行状に配置され、且つ先端部(３ａ)で商品カード(７)を保持する商品カード保持用アーム(３)に巻き付けられたコイルバネ(８)と、
上記コイルバネ(８)の後端部(８ｃ)に結合または当接され、且つ上記商品カード保持用アーム(３)に止着されたホルダー(９)と、
上記コイルバネ(８)の先端側に配置され、且つ上記商品カード保持用アーム(３)の軸方向に沿ってスライド可能に支持されていると共に、上記陳列アーム(２)が貫通可能となるガイド溝(１６)を有する商品前押し片(１１)と、を備えている、
ことを特徴とする吊り下げ商品前押し具(１０)。
【請求項２】
前記商品前押し片(１１)は、縦長の片本体(１２)を有し、該片本体(１２)における上端側に前記商品カード保持用アーム(３)を前記コイルバネ(８)を介してスライド可能に受け入れる横側に開口した支持溝(１５)を有すると共に、上記片本体(１２)の下部側には、前記支持溝(１５)と同じ横側に開口し且つ奥側で上記商品陳列アーム(２)を貫通させる正面視がＬ字形状のガイド溝(１６)を有している、
ことを特徴とする請求項１に記載の吊り下げ商品前押し具(１０)。
【請求項３】
前記商品前押し片(１１)は、前記コイルバネ(８)の先端側に設けた先後一対の拡径部(８a，８b，８c，８d，８e，８f)の間に、前記支持溝(１５)を介して横側から挿入することで上記コイルバネ(８)の先端側に配置されている、
ことを特徴とする請求項２に記載の吊り下げ商品前押し具(１０)。
【請求項４】
前記ホルダー(９)は、前記商品カード保持用アーム(３)における任意の位置に固定でき、且つスライド可能に取り付けられている、
ことを特徴とする請求項１乃至３の何れか一項に記載の吊り下げ商品前押し具(１０)。
【請求項５】
商品(２０ａ〜２０ｎ)を吊り下げて陳列する水平な陳列アーム(２)と、
上記陳列アーム(２)の上方に平行状に配置され、且つ先端部(３ａ)で商品カード(７)を保持する商品カード保持用アーム(３)と、
上記商品カード保持用アーム(３)の外側に巻き付けられ、且つ後端部(８ｃ)が該商品カード保持用アーム(３)に対し移動可能に固定されたコイルバネ(８)と、
上記コイルバネ(８)の後端部(８ｃ)に結合または当接され、且つ上記商品カード保持用アーム(３)に止着されたホルダー(９)と、
上記コイルバネ(８)の先端側に配置され、且つ上記商品カード保持用アーム(３)の軸方向に沿ってスライド可能に支持されていると共に、上記陳列アーム(２)が貫通可能となるガイド溝(１６)を有する商品前押し片(１１)と、を備えている、
ことを特徴とする商品陳列具(１)。
【請求項６】
前記商品前押し片(１１)は、縦長の片本体(１２)を有し、該片本体(１２)における上端側に前記商品カード保持用アーム(３)を前記コイルバネ(８)を介してスライド可能に受け入れる横側に開口した支持溝(１５)を有すると共に、上記片本体(１２)の下部側には、前記支持溝(１５)と同じ横側に開口し且つ奥側で前記陳列アーム(２)を貫通させる正面視がＬ字形状のガイド溝(１６)を有している、
ことを特徴とする請求項５に記載の商品陳列具(１)。
【請求項７】
前記商品前押し片(１１)は、前記コイルバネ(８)の先端側に設けた先後一対の拡径部(８ａ，８ｂ，８c，８d，８e，８f)の間に、前記支持溝(１５)を介して横側から挿入することで上記コイルバネ(８)の先端側に配置されている、
ことを特徴とする請求項６に記載の商品陳列具(１)。
【請求項８】
前記コイルバネ(８)の後端部(８ｃ)には、前記商品カード保持用アーム(３)の任意に位置に固定でき、且つスライド可能に前記ホルダー(９)が当接または結合されている、
ことを特徴とする請求項５乃至７の何れか一項に記載の商品陳列具(１)。
【考案の詳細な説明】
【技術分野】
【０００１】
本考案は、陳列アームの軸方向に沿って吊り下げられた任意数の商品を先端側に押し出す吊り下げ商品前押し具、およびこれを用いた商品陳列具に関する。
【背景技術】
【０００２】
例えば、複数の商品を吊り下げる水平なフック部材と、該フック部材の上方で平行に延びた水平な支持部材と、該支持部材の前端側に支持ブロックを介して取り付けられ且つ上記フック部材の前端側の傾斜部を貫通させる通し孔を有する商品整列矯正部材と、上記支持部材にスライド可能に支持され且つ上記フック部材が貫通する長孔を有する押し付け体と、該押し付け体と上記支持ブロックとの間に張設され且つ押し付け体を該支持ブロック（前端側）側に引っ張るスプリングコイルと、を備えた商品陳列具が提案されている（例えば、特許文献１参照）。
上記商品陳列具によれば、前記フック部材に対し商品を常に鉛直状態にして見栄え良く吊り下げられる反面、上記フック部材と支持部材の他にも、構成部材の数が多く、且つ該構成部材ごとの構造が複雑なため、フック部材および支持部材への取り付け操作が煩雑となり、且つ製造コストも嵩む、というが問題あった。
【０００３】
一方、水平部の先端に商品落下防止部を設けたロッド状のフックと、該フックの水平部の先端側に摺動可能に取り付けられ、且つ装着時に一対の半円形体に展開可能な円盤状の商品押出具と、前記フックの水平部の後端側に取り付けられ、且つ直径が前記商品押出具の直径よりも大きなバネ固定具と、前記商品押出具と該バネ固定具との間に張設され、且つ前記フックを中心軸付近に沿って貫通させる細長い円錐形状のコイルバネと、を備えた商品吊下型陳列器具も提案されている（例えば、特許文献２参照）。
しかし、前記商品吊下型陳列器具も、その構成部材ごとの構造が複雑なため、前記フックへの装着作業が煩雑で、且つ製造コストも嵩む、という問題があった。
【先行技術文献】
【特許文献】
【０００４】
【特許文献１】特開平９−２３８７９１号公報（第１〜７頁、図１）
【特許文献２】特開平８−１４０７９０号公報（第１〜９頁、図１〜５）
【考案の概要】
【考案が解決しようとする課題】
【０００５】
本考案は、背景技術で説明した問題点を解決し、構成部材の数が少なく且つ何れも簡素な構造であり、取り扱いも簡単であると共に、安価に製造できる吊り下げ商品前押し具と、これを用いた商品陳列具とを提供する、ことを課題とする。
【課題を解決するための手段および考案の効果】
【０００６】
本考案は、前記課題を解決するため、任意数の商品を吊り下げて支持する水平な陳列アームに、該陳列アームの軸方向と直交する径方向（横側）から貫通可能に挿入できる商品前押し片を、前記陳列アームの上方に平行状に位置する商品カード保持用アームにスライド可能に支持すると共に、前記保持用アームの後端側に商品前押し片を先端側に押し出すためのコイルバネを巻き付ける、ことに着想して成されたものである。
即ち、本考案の吊り下げ商品前押し具（請求項１）は、水平な陳列アームに吊り下げて陳列された商品を、該陳列アームの前方側へ押し出す吊り下げ商品前押し治具であって、上記陳列アームの上方に平行状に配置され、且つ先端部で商品カードを保持する商品カード保持用アームに巻き付けられたコイルバネと、該コイルバネの後端部に結合または当接され、且つ上記商品カード保持用アームに止着されたホルダーと、上記コイルバネの先端側に配置され、且つ上記商品カード保持用アームの軸方向に沿ってスライド可能に支持されていると共に、上記陳列アームが貫通可能となるガイド溝を有する商品前押し片と、を備えている、ことを特徴とする。
【０００７】
前記吊り下げ商品前押し具は、以下の効果（１）〜（３）を有している。
（１）前記コイルバネ、ホルダー、および商品前押し片の３個の構成部材からなり、前記コイルバネは市販の物やその変形品で良く、前記ホルダーも樹脂製または金属製で且つ開口部を有する円筒形状の物で良いと共に、上記商品前押し片も樹脂製の片本体の上下に支持溝とガイド溝を有する簡素な構造である。そのため、これら全てを前記商品カード保持用アームに対し、素人でも簡単に装着でき、且つ陳列アームを上記商品前押し片のガイド溝に容易に挿通してセットできると共に、過度に目立たず且つ占有するスペースも最小限とすることができる。
（２）前記陳列アームに吊り下げられている商品の総数に応じて、前記ホルダーを前記商品カード保持用アームの先端側にスライドするだけの簡単なメンテナンスにより、常に上記商品を顧客側に見栄え良く陳列することができる。
（３）前記コイルバネ、ホルダー、および商品前押し片からなる３個の構成部材は、何れも簡素な構造で、且つ低コストにより製造することができる。
【０００８】
尚、本明細書において、先端、先端部、および先端側は、顧客が立っている側を指し、後端、後端部、および後端側は、顧客かいない反対側を指している。
更に、前記陳列アームおよび商品カード保持用アームは、例えば、これらの後端側を個別に連結するフックによって連結し、且つ該フックにより水平な金属製の水平な支持桟に支持される形態、あるいは、上記２本のアームの後端部同士の間を垂直部を介して連続された側面視が細長いコ字形状の一体物とし、前記陳列アームの後端部側を上記支持桟の上面に溶接などして接合した形態としても良い。
【０００９】
また、本考案には、前記商品前押し片は、縦長の片本体を有し、該片本体における上端側に前記商品カード保持用アームを前記コイルバネを介してスライド可能に受け入れる横側に開口した支持溝を有すると共に、上記片本体の下部側には、前記支持溝と同じ横側に開口し且つ奥側で上記商品陳列アームを貫通させる正面視がＬ字形状のガイド溝を有している、吊り下げ商品前押し具（請求項２）も含まれる。
これによれば、予め、前記商品カード保持用アームに前記ホルダーとコイルバネとを装着しておき、前記陳列アームの先端側に前記商品前押し片のガイド溝における水平溝を通して、更にその奥側の垂直溝に挿通して、該垂直溝の上端側（奥側）に前記陳列アームの先端側を移行させた状態で、当該商品前押し片の片本体を上向きに回転させ、同じ横側に開口する上端側の支持溝に前記コイルバネの先端側を前記保持用アームと共に挿入することで、前記３個の構成部材を容易にセットできる。しかも、前記支持溝の内側においてもコイルバネの一部が前記保持用アームを覆っているので、上記商品前押し片の先端側へのスライドをスムーズに行える。従って、前記効果（１）を一層確実に得ることができる。
尚、前記正面視とは、顧客や店員が立っている側からの視覚を指している。
また、前記横側とは、前記陳列アームや商品カード保持用アームの軸方向（以下、先後方向と称する）と直交する径方向（横向き）を指している。
【００１０】
更に、本考案には、前記商品前押し片は、前記コイルバネの先端側に設けた前後一対の拡径部の間に、前記支持溝を介して横側から挿入することにより、上記コイルバネの前端側に配置されている、吊り下げ商品前押し具（請求項３）も含まれる。
これによれば、前記ガイド溝における垂直溝の上端側に前記陳列アームを挿通させた前記商品前押し片を上向きに回転させた際に、前記コイルバネの先端側に設けた前後一対の拡径部の間に、上端側の支持溝を同じ横側から挿入することで、当該商品前押し片を上記コイルバネの先端側に容易且つ確実に配置することができる。従って、前記効果（１）を一層顕著に得ることができる。
尚、前記コイルバネに設ける拡径部は、該コイルバネ自体を前後２カ所で直径を拡大した大きな円形部、または、長軸のみを通常のバネ部分よりも大きくした楕円形部または長円形部の他、上記コイルバネが貫通する一対の円形板でも良い。
【００１１】
加えて、本考案には、前記ホルダーは、前記商品カード保持用アームにおける任意の位置に固定でき、且つスライド可能に取り付けられている、吊り下げ商品前押し具（請求項４）も含まれる。
これによれば、前記ホルダーの固定位置を前記陳列アームに吊り下げられた商品の数に応じて、前記商品カード保持用アームの先端側にスライドさせることにより、常に陳列アームの先端側に商品が吊り下げられた状態になるので、店員の手間を著しく少なくできると共に、顧客による品定めや商品の取り出しも容易となる。従って、前記効果（２）を一層確実に得ることができる。
【００１２】
一方、本考案の商品陳列具（請求項５）は、商品を吊り下げて陳列する水平な陳列アームと、該陳列アームの上方に平行状に配置され、且つ先端部で商品カードを保持する商品カード保持用アームと、上記商品カード保持用アームの外側に巻き付けられ、且つ後端部が該商品カード保持用アームに対し移動可能に固定されたコイルバネと、該コイルバネの後端部に結合または当接され、且つ上記商品カード保持用アームに止着されたホルダーと、上記コイルバネの先端側に配置され、且つ上記商品カード保持用アームの軸方向に沿ってスライド可能に支持されていると共に、上記陳列アームが貫通可能となるガイド溝を有する商品前押し片と、を備えている、ことを特徴とする。
前記商品陳列具によれば、前記陳列アームおよび商品カード保持用アームに対し、前記コイルバネ、ホルダー、および、商品前押し片の３個の前記構成部材が組み合わせられているので、前記効果（１）〜（３）を奏することが可能である。
尚、前記陳列アームや前記保持用アームは、既設のものや市販のものでも良い。
【００１３】
また、本考案には、前記商品前押し片は、縦長の片本体を有し、該片本体における上端側に前記商品カード保持用アームを前記コイルバネを介してスライド可能に受け入れる横側に開口した支持溝を有すると共に、上記片本体の下部側には、前記支持溝と同じ横側に開口し且つ奥側で前記陳列アームを貫通させる正面視がＬ字形状のガイド溝を有している、商品陳列具（請求項６）も含まれる。
これによれば、予め、前記商品カード保持用アームに前記コイルバネを装着しておき、更に前記商品前押し片におけるガイド溝の垂直溝の上端側に陳列アームを挿通した状態で、その片本体を斜め上向きに回転させて当該商品前押し片の支持溝に上記コイルバネの先端側を挿入することにより、前記構成部材を前記アームごとに容易にセットでき、且つ上記商品前押し片のスライドもスムーズに行える。従って、前記効果（１）が一層確実に得られる。
【００１４】
更に、本考案には、前記商品前押し片は、前記コイルバネの先端側に設けた先後一対の拡径部の間に、前記支持溝を介して横側から挿入することで上記コイルバネの先端側に配置されている、商品陳列具（請求項７）も含まれる。
これによれば、前記ガイド溝における垂直溝の上端側に前記陳列アームを挿通させた商品前押し片を斜め上向きに回転させた際に、前記コイルバネの先端側に設けた先後（前後）一対の拡径部の間に、上端側の支持溝を同じ横側挿入することにより、当該商品前押し片を記コイルバネの先端側に容易且つ迅速に配置することができる。従って、前記効果（１）を一層顕著に得られる。
【００１５】
加えて、本考案には、前記コイルバネの後端部には、前記商品カード保持用アームの任意に位置に固定でき、且つスライド可能に前記ホルダーが当接または結合されている、商品陳列具（請求項８）も含まれる。
これによれば、前記ホルダーの固定位置を前記陳列アームに吊り下げられた商品の数に応じて、前記商品カード保持用アームの先端側にスライドさせることにより、常に陳列アームの先端側に商品が見栄え良く吊り下げられた状態になるので、前記効果（２）を一層確実に得ることができる。
【図面の簡単な説明】
【００１６】
【図１】（Ａ）は本考案の吊り下げ商品前押し具の斜視図とこれを含む商品陳列具の斜視図、（Ｂ）は上記吊り下げ商品前押し具を含む商品陳列具の側面図。
【図２】（Ａ）は異なる状態における前記吊り下げ商品前押し具を含む商品陳列具の斜視図、（Ｂ）は該商品陳列具の側面図。
【図３】（Ａ）、（Ｂ）は異なる形態の商品前押し片を示す斜視図。
【図４】（Ａ）、（Ｂ）は異なる形態の拡径部を有するコイルバネの斜視図。
【図５】異なる形態の商品陳列具を示す側面図。
【考案を実施するための形態】
【００１７】
以下において、本考案を実施するための形態について説明する。
図１（Ａ）は、本考案の吊り下げ商品前押し具１０の斜視図とこれを含む商品陳列具１の斜視図、図１（Ｂ）は、かかる商品陳列具１の側面図である。
上記商品陳列具１は、図１（Ａ），（Ｂ）に示すように、水平な陳列アーム２と、該陳列アーム２の上方に平行状に配置された商品カード保持用アーム（以下、単に保持用アームと称する）３と、吊り下げ商品前押し具１０とを含んでいる。
上記陳列アーム２は、バネ鋼などの棒鋼材からなり、先端側に斜め上向きの傾斜部２ａを有し、且つその後端部２ｂは、フック４に固定されている。該陳列アーム２には、複数の商品２０ａ〜２０ｄが、それらの上端側に設けられた貫通孔あるいは横向き溝（何れも図示せず）などを介して、吊り下げられている。
【００１８】
また、図１（Ｂ）に示すように、前記保持用アーム３も、前記同様の棒鋼材からなり、先端側に垂直な先端部３ａを有し、且つその後端部３ｃも前記フック４に固定されている。前記垂直部３ａには、カードホルダー６を介して、上記商品２０の商品名や価格などが表示された商品カード７が垂直姿勢で保持される。
更に、前記フック４は、左右一対の樹脂成形体（図示せず）を結合したものであり、且つ下向きに開口する凹溝４ａを横方向に沿って有している。該凹溝４ａには、角形鋼管からなる水平な支持桟５が挿入され、上記フック４を介して、該支持桟５に前記陳列アーム２と保持用アーム３とが水平姿勢で保たれている。
【００１９】
一方、前記吊り下げ商品前押し具（以下、単に商品前押し具と称する）１０は、図１（Ａ）に示すように、前記保持用アーム３の外側に沿って巻き付けられたコイルバネ８と、該コイルバネ８の後端部８ｃに当接し且つ上記保持用アーム３の比較的後端側にスライド可能に固定されたホルダー９と、上記コイルバネ８の先端側に配置され、前記陳列アーム２が貫通可能とされた商品前押し片１１と、の３個によって構成されている。
上記コイルバネ８は、全体が同じ直径のバネ材からなるが、その先端側には、当該バネ材自体を外側に拡大した前後一対の拡径部８ａ，８ｂが互いに離して形成されている。
【００２０】
また、前記ホルダー９は、例えば、ポリプロピレン（以下、ＰＰと略記する）からなり、全体が円筒形状で且つ正面視がΩ字形状を呈すると共に、中心部に沿って下側に開口した奥広溝９ａを有している。該奥広溝９ａの内径は、前記保持用アーム３の外径と同じか、若干小さく設定されている。そのため、該ホルダー９は、保持よ用アーム３における任意の位置に固定され、且つ店員がその指先で摘まんで所望の位置にスライドさせることも可能である。
更に、前記商品前押し片１１は、前記同様のＰＰなどからなり、図１（Ａ），（Ｂ）に示すように、縦長で且つ板形状の片本体１２と、該片本体１２の下部側に設けられ且つ横側（横向き）に開口するガイド溝１６と、前記片本体１２の上端から正面側に張り出したと水平片１３と、該水平片１３の上面における横（左右）方向の中央部に形成された筒形部１４と、該筒形部１４と水平片１３とに囲まれ且つ上記ガイド溝１６と同じ横側に開口する支持溝１５とを有している。
【００２１】
前記ガイド溝１６は、下側に位置する横向きの水平溝１７と、該水平溝１７の奥側から上向きに延びた垂直溝１８とを連続して形成されてなり、正面視が全体としてＬ字形状を呈している。該ガイド溝１６には、その垂直溝１８の最上（奥）側において、前記陳列アーム２が隙間を介して貫通可能とされている。また、前記支持溝１５には、前記一対の拡径部８ａ，８ｂに挟まれたコイルバネ８の先端側が、前記保持用アーム３の先端側と共に、挿入されている。
尚、前記ホルダー９や商品前押し片１１は、例えば、溶けたＰＰを所定のキャビティが内設された金型ごとで射出成形され、それぞれ一体に成形されている。
【００２２】
前記商品前押し具１０を陳列アーム２や保持用アーム３にセットして、前記商品陳列具１を得る操作（方法）は、以下のようにして行われる。
先ず、前記コイルバネ８を垂直部３ａ側から前記保持用アーム３の中程に挿通する。次に、前記ホルダー９をその奥広溝９ａの開口部を下向きにして、保持用アーム３の後端側の位置に強制的に嵌め込む。この際、該ホルダー９と、コイルバネ８の後端部８ｃとが接している方が望ましいが、若干離れていても良い。
更に、前記商品前押し片１１を水平片１３が上側になるような傾斜姿勢とし、そのガイド溝１６における水平溝１７の開口部から、前記陳列アーム２の先端側の部分を挿入し、該水平溝１７から垂直溝１８の最上端側に移行させる。かかる状態で、商品前押し片１１の片本体１２が垂直姿勢となるように回転させる。
【００２３】
その結果、前記支持溝１５の開口部付近に、内側を保持用アーム３が貫通する前記コイルバネ８における先後一対の拡径部８ａ，８ｂが隣接した状態となる。
最後に、上記拡径部８ａ，８ｂが前記筒形部１４の前後を挟むように、拡径部８ａ，８ｂ間に挟まれたコイルバネ８のバネ部分を、その内側を貫通する保持用アーム３と共に、前記支持溝１５の内側に押し込む。その結果、前記商品前押し片１１は、コイルバネ８により保持用アーム３の先端側に押されつつ、該保持用アーム３に吊り下げられて支持されると共に、前記ガイド溝１６の垂直溝１８における最上側を前記陳列アーム２が若干の隙間を介して貫通可能とされている。
以上の結果、図１（Ｂ）に示すように、後端部８ｃが前記ホルダー９に当接しているコイルバネ８による先端側に押し出す圧力を受けた商品前押し片１１の片本体１２によって、複数の商品２０ａ〜２０ｂを、陳列アーム２の先端側に見栄え良く整列させて吊り下げた状態とすることができる。
【００２４】
また、ある程度の前記商品２０ａ，２０ｂが顧客により取り出され、総数が減少した際には、図２（Ａ）中の破線の矢印で示すように、前記ホルダー９を指先で摘まつつ、前記保持用アーム３の先端側に適宜の距離でスライドさせる。該ホルダー９の移動に応じて、前記コイルバネ８およびその先端側に配置された前記商品前押し片１１も、その支持溝１５の内側にバネ部分が位置し、且つ前記保持用アーム３に接触にしていないので、前記図１（Ａ），（Ｂ）の状態よりも先端側の位置へスムーズに押される。
その結果、図２（Ａ），（Ｂ）に示すように、上記商品前押し片１１の片本体１２による圧力を受けることにより、残っていた商品２０ｃ，２０ｄを前記陳列アーム２の先端側に押し出すことができる。これにより、商品２０の総数が減少しても、残っている商品２０ｃ，２０ｄを、顧客側に見え易くでき、顧客が手に取って品定めや種類などの確認することを容易に行うことができる。
【００２５】
以上において説明した本考案の商品前押し具１０、およびこれを含む商品陳列具１によれば、前記コイルバネ８、ホルダー９、および商品前押し片１１の３個の構成部材を必須とし、これら全てが簡素な構造であるため、これらを前記保持用アーム３に対し、素人でも簡単に且つ目立ちにくくして装着でき、且つ陳列アーム２を上記商品前押し片１１のガイド溝１６に容易に挿通してセットできる。
また、前記陳列アーム２に吊り下げられている商品２０の総数に応じて、前記ホルダー９を保持用アーム３の先端側にスライドするだけの簡単なメンテナンスにて、常に上記商品２０を顧客側に見栄え良く陳列てき、販売促進に貢献し得る。
【００２６】
更に、前記陳列アーム２や関保持用アーム３は、既設のものや市販のものでも良く、前記コイルバネ８、ホルダー９、および、商品前押し片１１からなる３個の必須の構成部材は、何れも簡素な構造で、且つ低コストにより製造できる。
従って、前記商品前押し具１０、およびこれを含む商品陳列具１によれば、前記効果（１）〜（３）を確実に奏することができる。
【００２７】
本考案は、以上において説明した形態に限定されるものではない。
例えば、図３（Ａ）に示すように、片本体１２における正面側のほぼ全面に薄肉化を図るための浅い凹み１２ａを設けた商品前押し片１１としても良い。該凹み１２ａを設けて軽量化することにより、商品前押し片１１の前記保持用アーム３に沿ったスライドを一層スムースにすることができる。尚、上記凹み１２ａは、片本体１２の背面側のみ、あるいは両面に設けた形態として良い。
また、図３（Ｂ）の斜視図で示すように、前記支持溝１５およびガイド溝１６を、前記片本体１２において、前記図１，２に示した形態とは反対側の側面で且つ同じ横側（横向き）に、線対称にして形成した商品前押し片１１としても良い。かかる形態を含めることにより、作業者や店員の利き手に応じて、より適した形態の商品前押し片１１を選択することが可能となる。尚、上記片本体１２の片面または両面に前記凹み１２ａを更に設けた形態としても良い。
【００２８】
更に、図４（Ａ）に示すように、前記コイルバネ８の先端側に、先後一対で且つ楕円形または長円形の拡径部８ｃ，８ｄを設けた形態としても良い。かかる形態では、少なくとも前記楕円形または長円形の長軸は、通常の円形であるバネ部分の直径よりも大きく設定されている。
尚、前記拡径部８ａ，８ｂあるいは上記拡径部８ｃ，８ｄを含む前記コイルバネ８全体を、前記ＰＰなどの合成樹脂により成形したものとしても良い。
【００２９】
また、図４（Ｂ）の斜視図で示すように、市販のコイルバネ８における先端側に、樹脂製である先後一対の円形板８ｅ，８ｆを、これらに設けた斜め孔にバネ材を差し通して配置した形態としても良い。
加えて、図５に示すように、前記陳列アーム２の後端部２ｂと、前記保持用アーム３の後端部３ｂとを、垂直部１９によって連続するように、１本の棒鋼材を曲げ加工して一体化した形態としても良い。かかる形態では、図示のように、上記陳列アーム２の後端部２ｂ付近を、前記支持桟５の上面に溶接Ｗして接合したり、適宜な接続治具（図示せず）を介して上記支持桟５の上面に固定しても良い。
【産業上の利用可能性】
【００３０】
本考案によれば、構成部材の数が少なく且つ何れも簡素な構造であり、取り扱いも簡単であると共に、安価に製造できる吊り下げ商品前押し具と、これを用いた商品陳列具を確実に提供できる。
【符号の説明】
【００３１】
１…………………商品陳列具
２…………………陳列アーム
３…………………商品カード保持用アーム
３ａ………………先端部
７…………………商品カード
８…………………コイルバネ
８ａ〜８ｆ………拡径部
９…………………ホルダー
１０………………吊り下げ商品前押し具
１１………………商品前押し片
１２………………片本体
１５………………支持溝
１６………………ガイド溝
２０ａ〜２０ｄ…商品
【図１】
0003214233.tif 000003
【図２】
0003214233.tif 000004
【図３】
0003214233.tif 000005
【図４】
0003214233.tif 000006
【図５】
0003214233.tif 000007